(57)【特許請求の範囲】
【請求項１】
艇体の構成要素の一つであるデッキを保持し、必要に応じて反転させることのできる反転機において、
この反転機は、デッキの一端を把持する一端把持部と、この一端把持部を水平軸回りに回転する一端回転台と、前記デッキの他端を把持する他端把持部と、この他端把持部を水平軸回りに回転する他端回転台と、この他端回転台および前記一端回転台を支える枠体と、からなる艇体のデッキ反転機であって、
前記他端回転台は、枠体の他端に配置して、前記他端把持部を回転または所定の角度だけ手動で回転する割出し円盤部を備えるストッパ手段を備えたことを特徴とする艇体のデッキ反転機。
【請求項２】
前記枠体は、床に形成した位置決め穴に嵌合可能なピンを備える位置決め部材を備えたことを特徴とする請求項１記載の艇体のデッキ反転機。
【請求項３】
前記水平軸を所定の角度だけ傾斜させることで角度軸とし、前記一端回転台を取付ける角度軸に平行な傾斜取付け面を備える角柱と、前記他端回転台を取付ける角度軸に平行な傾斜取付け面を備える脚部と、を備えたことを特徴とする請求項１記載の艇体のデッキ反転機。
【発明の詳細な説明】
【０００１】
【発明の属する技術分野】
本発明は艇体のデッキを保持するとともに、必要に応じて反転させることのできる艇体のデッキ反転機に関する。
【０００２】
【従来の技術】
艇体のデッキなどワークを保持するとともに、反転させることのできる回転装置としては、例えば、ワークより長い保持軸を水平に且つ回転可能に設け、この保持軸に取付け治具を介してワークを取付け、保持軸の一端を電動モータで回転させることで、艇体のデッキなどワークを反転させることのできるものがある。また、ワークを保持するとともに、反転させることのできる装置としては、ターニング装置が知られている。
【０００３】
【発明が解決しようとする課題】
上記従来の回転装置では、保持軸や電動モータなど部品点数が多く、設備が嵩む。
上記従来のターニング装置を用いて艇体のデッキを反転させるには、ターニング装置にデッキを取付けるための特別な治具が必要になるなど、従来のターニング装置は艇体のデッキに対応し難く、生産効率の向上を図り難い。
また、従来のターニング装置では、デッキを取付けるための治具の構造が複雑になり、設備費が嵩む。
【０００４】
そこで、本発明の目的は、構造を簡素化した艇体のデッキ反転機を提供することにある。
【０００５】
【課題を解決するための手段】
上記目的を達成するために請求項１では、艇体の構成要素の一つであるデッキを保持し、必要に応じて反転させることのできる反転機において、この反転機は、デッキの一端を把持する一端把持部と、この一端把持部を水平軸回りに回転する一端回転台と、デッキの他端を把持する他端把持部と、この他端把持部を水平軸回りに回転する他端回転台と、この他端回転台および一端回転台を支える枠体と、からなる。
一端把持部と他端把持部とは連結させない。その結果、従来の反転機に不可欠な長い保持軸が不要となり、請求項１によれば反転機の簡素化が図れる。
また、艇体のデッキ反転機では、他端回転台は、枠体の他端に配置して、他端把持部を回転または所定の角度だけ手動で回転する割出し円盤部を備えるストッパ手段を備えたことを特徴とする。デッキを反転させるためのプログラムを必要とせず、形状や寸法の異なるデッキを混在させて組付けを行う際にプログラムなど改造部位が極めて少なく、設備費を削減することができる。つまり、反転機の簡素化を図れる。
請求項２では、枠体は、床に形成した位置決め穴に嵌合可能なピンを備える位置決め部材を備えたことを特徴とする。デッキ反転機を走行させても、所定の位置に位置決めすることができる。その結果、組立てラインを走行させつつ、部品の取付けを実施することができ、デッキの着脱の手間を省くことができるとともに、デッキを下流工程へ運搬する際の手間を省くことができ、生産効率の向上を図れる。
請求項３では、水平軸を所定の角度だけ傾斜させることで角度軸とし、一端回転台を取付ける角度軸に平行な傾斜取付け面を備える角柱と、他端回転台を取付ける角度軸に平行な傾斜取付け面を備える脚部と、を備えたことを特徴とする。角度軸回りに一端回転台及び他端回転台を回転させることができ、結果的に、構造を簡素化しても、デッキを角度軸回りに回転させることができる。
【０００６】
【発明の実施の形態】
本発明の実施の形態を添付図に基づいて以下に説明する。なお、図面は符号の向きに見るものとする。
図１は本発明に係る艇体のデッキ反転機の側面図（第１実施の形態）であり、デッキ反転機１０は、デッキ１１の一端１２を把持する一端把持部１３と、この一端把持部１３を水平軸１４回りに回転する一端回転台１５と、デッキ１１の他端１６を把持する他端把持部１７と、この他端把持部１７を水平軸１４回りに回転する他端回転台１８と、この他端回転台１８および一端回転台１５を支える枠体１９と、からなる。２１は、床２２に形成した位置決め穴、Ｋは、水平軸１４から他端１６までの距離、Ｍは作業者を示す。
【０００７】
図２は本発明に係る艇体のデッキ反転機の斜視図（第１実施の形態）であり、枠体１９と、枠体１９に載せた一端回転台１５ならびに他端回転台１８と、一端回転台１５に取付けた一端把持部１３と、他端回転台１８に取付けた他端把持部１７と、からなるデッキ反転機１０を示す。
【０００８】
枠体１９は、第１枠体２３上に第２枠体２４を載せたもので、第１枠体２３の中央に位置決め部材２５，２５を取付け、第１枠体２３の下部に４個のキャスター２４ａ・・・（・・・は複数を示す。以下同様。）を取付け、手動で走行するものである。
位置決め部材２５は、上下にスライドするピン２６を有し、ピン２６を所定の位置決め穴に嵌合することで、位置決めを行うと同時に、デッキ反転機１０を止める。
【０００９】
一端把持部１３は、一端回転台１５に第１支持板３１を取付け、この第１支持板３１に下部アーム３２を取付け、下部アーム３２に一端下部パッド材３３を取付け、第１支持板３１に一端クランプ手段３４を取付け、一端クランプ手段３４に一端上部パッド材３５を取付けたもので、デッキの一端を把持する。
一端回転台１５は、枠体１９の一端に立てた角柱３６と、角柱３６に取付けた回転手段３７とからなる。
【００１０】
他端把持部１７は、他端回転台１８にバー部材４１を取付け、バー部材４１の端に第２支持板４２，４２を取付け、第２支持板４２，４２に下部アーム４３，４３を取付け、下部アーム４３，４３に他端下部パッド材４４，４４を取付け、第２支持板４２，４２に他端クランプ手段４５，４５を取付け、他端クランプ手段４５，４５に他端上部パッド材４６，４６を取付けたもので、デッキの他端を把持する。
【００１１】
他端回転台１８は、枠体１９の他端に立てたハの字状の脚部４７と、脚部４７に取付けた回転手段４８と、ストッパ手段５１とからなる。
ストッパ手段５１は、他端把持部１７を３６０゜回転または所定の角度だけ手動で回転するもので、回転手段４８に取付けた割出し円盤部５２を有する。５３は割出し円盤部５２に所定ピッチＰで形成した掛止孔を示す。ピッチＰは、例えば、４５゜に設定した。
【００１２】
図３は本発明に係るストッパ手段の側面図（第１実施の形態）であり、ストッパ手段５１の割出し円盤部５２を示す。
割出し円盤部５２は、回転手段４８に盤本体５４を取付け、脚部４７に掛止ピン５５、レバー５６、引張りばね５７を取付けたもので、レバー５６を二点鎖線のように操作することで、掛止ピン５５を盤本体５４の掛止孔５３から抜き、ロックを解除して所定角度を割出す。
【００１３】
他端把持部１７では、他端クランプ手段４５のハンドル６１を矢印▲１▼の如く倒すと、他端上部パッド材４６が二点鎖線のように開き、ハンドル６１を戻すことで、デッキ１１の他端１６をクランプすることができる。
図１に示す一端把持部１３では、一端クランプ手段３４によって他端クランプ手段４５と同様にデッキ１１の一端１２をクランプすることができる。
【００１４】
以上に述べた艇体のデッキ反転機の作用を次に説明する。
図１に示すように、デッキ反転機１０の一端把持部１３でデッキ１１の一端１２をクランプし、他端把持部１７でデッキ１１の他端１６をクランプし、作業者Ｍはデッキ１１の表面側に部品を組み付ける。
【００１５】
このように、デッキ反転機１０では、一端把持部１３と他端把持部１７とは連結させないので、従来の反転機に不可欠な長い保持軸が不要となり、簡素化を図ることができる。
【００１６】
また、デッキ反転機１０では、一端把持部１３と、他端把持部１７と、枠体１９とを備えるので、デッキ１１の搬送やクランプなどデッキ１１の取り扱いに手間がかからず、生産効率の向上を図ることができる。
【００１７】
さらに、デッキ反転機１０では、一端把持部１３と、他端把持部１７と、枠体１９とを備えた簡単な構造で、作業範囲内に段差や凹凸のない床を確保した。その結果、作業者Ｍの上がり下がりがなく、生産効率の向上を図ることができる。
【００１８】
図４（ａ），（ｂ）は本発明に係る艇体のデッキ反転機の作用図（第１実施の形態）である。
（ａ）において、デッキ反転機１０にデッキ１１をセットすることで、デッキ１１の表面側に部品を取付ける際の作業者Ｍの作業姿勢に無理がなく、無駄な動作を省いて、無駄な時間を削減することができ、生産効率の向上を図ることができる。
デッキ１１の表面側に部品を組み付けた後、引き続き、裏面側へ着手する。その際には、他端回転台１８のストッパ手段５１によりデッキ１１を反転させる。
【００１９】
（ｂ）において、他端回転台１８のストッパ手段５１を旋回角θだけ旋回させると、デッキ１１の剛性により一端回転台１５（図１参照）は従動するので、一端把持部１３と他端把持部１７とは連結する必要がない。従って、デッキ反転機１０の簡素化を図ることができる。
【００２０】
また、デッキ１１を反転し、デッキ１１の裏面側に部品を組み付ける。その結果、デッキ１１の裏面側に部品を取付ける際の作業者Ｍの作業姿勢に無理がなく、無駄な動作を省いて、無駄な時間を削減することができ、生産効率の向上を図ることができる。
【００２１】
デッキ反転機１０では、一端把持部１３と、一端回転台１５と、他端把持部１７と、他端回転台１８と、枠体１９と、からなるので、デッキ１１を反転するための部品点数を少なくすることができ、設備費を削減することができる。
【００２２】
また、デッキ反転機１０では、一端回転台１５と他端回転台１８とを設けたので、デッキ１１を反転させるためのプログラムを必要とせず、形状や寸法の異なるデッキを混在させて組付けを行う際にプログラムなど改造部位が極めて少なく、設備費を削減することができる。
【００２３】
さらに、デッキ反転機１０では、組立てラインを走行させつつ、部品の取付けを実施することができ、デッキ１１の着脱の手間を省くことができるとともに、デッキ１１を下流工程へ運搬する際の手間を省くことができ、生産効率の向上を図ることができる。
【００２４】
次に、本発明に係る艇体のデッキ反転機の別実施の形態を示す。
図５は図１の第２実施の形態図であり、上記図１に示す実施の形態と同様の構成については、同一符号を付し説明を省略する。
デッキ反転機１０Ｂは、水平軸１４から他端１６までの距離Ｋｂを距離Ｋ（図１参照）より大きく設定したことを特徴とし、割出し円盤部５２Ｂを備え、割出し円盤部５２Ｂに他端把持部１７のバー部材４１を距離Ｋｂだけ離して取付けたものである。１１Ｂはデッキを示す。
【００２５】
デッキ反転機１０Ｂでは、他端把持部１７を距離Ｋｂだけ離して設けたので、デッキ１１（図１参照）の形状に対して異なる形状のデッキ１１Ｂを把持することができる。
【００２６】
図６は図１の第３実施の形態図であり、上記図１に示す実施の形態と同様の構成については、同一符号を付し説明を省略する。
デッキ反転機１０Ｃは、角度軸１４Ｃを設定したことを特徴とし、枠体１９の一端に立てた角柱３６Ｃと、枠体１９の他端に立てたハの字状の脚部４７Ｃとを備えたものである。角度軸１４Ｃの角度は、αに設定した。
角柱３６Ｃは、上端に傾斜取付け面６３を有する。
脚部４７Ｃは、上端に傾斜取付け面６４を有する。
【００２７】
デッキ反転機１０Ｃでは、角度軸１４Ｃを設定したので、デッキ１１を角度軸１４Ｃ回りに回転させることができる。
【００２８】
尚、本発明の実施の形態に示したデッキ反転機１０では、デッキを反転したが、反転するものはデッキのみに限定するものではなく、デッキと同等またはデッキ以上の強度を有する剛体物の反転にも用いることができ、同様の効果を得ることができる。
【００２９】
デッキ反転機１０では、デッキ１１の両端を把持したが、両端に近い側面を把持することも可能である。
キャスター２４ａ・・・を図に示していない走行レールや走行ガイドに載せてもよい。
枠体１９に取付けた位置決め部材２５，２５を省いて、キャスター２４ａをストッパ付きの車にしてもよい。
【００３０】
【発明の効果】
本発明は上記構成により次の効果を発揮する。
請求項１では、反転機は、デッキの一端を把持する一端把持部と、この一端把持部を水平軸回りに回転する一端回転台と、デッキの他端を把持する他端把持部と、この他端把持部を水平軸回りに回転する他端回転台と、この他端回転台および一端回転台を支える枠体と、からなるので、一端把持部と他端把持部とは連結させない。その結果、従来の反転機に不可欠な長い保持軸が不要となり、反転機の簡素化を図ることができる。
また、反転機は、一端把持部と、一端回転台と、他端把持部と、他端回転台と、枠体と、からなるので、部品点数が極めて少なく、設備費を抑えることができる。
また、艇体のデッキ反転機では、他端回転台は、枠体の他端に配置して、他端把持部を回転または所定の角度だけ手動で回転する割出し円盤部を備えるストッパ手段を備えたことを特徴とする。デッキを反転させるためのプログラムを必要とせず、形状や寸法の異なるデッキを混在させて組付けを行う際にプログラムなど改造部位が極めて少なく、設備費を削減することができる。つまり、反転機の簡素化を図ることができる。
請求項２では、枠体は、床に形成した位置決め穴に嵌合可能なピンを備える位置決め部材を備えたことを特徴とする。デッキ反転機を走行させても、所定の位置に位置決めすることができる。その結果、組立てラインを走行させつつ、部品の取付けを実施することができ、デッキの着脱の手間を省くことができるとともに、デッキを下流工程へ運搬する際の手間を省くことができ、生産効率の向上を図ることができる。
請求項３では、水平軸を所定の角度だけ傾斜させることで角度軸とし、一端回転台を取付ける角度軸に平行な傾斜取付け面を備える角柱と、他端回転台を取付ける角度軸に平行な傾斜取付け面を備える脚部と、を備えたことを特徴とする。角度軸回りに一端回転台及び他端回転台を回転させることができ、結果的に、構造を簡素化しても、デッキを角度軸回りに回転させることができる。
【図面の簡単な説明】
【図１】本発明に係る艇体のデッキ反転機の側面図（第１実施の形態）
【図２】本発明に係る艇体のデッキ反転機の斜視図（第１実施の形態）
【図３】本発明に係るストッパ手段の側面図（第１実施の形態）
【図４】本発明に係る艇体のデッキ反転機の作用図（第１実施の形態）
【図５】図１の第２実施の形態図
【図６】図１の第３実施の形態図
【符号の説明】
１０…デッキ反転機、１１…デッキ、１２…デッキの一端、１３…一端把持部、１４…水平軸、１４Ｃ…角度軸、１５…一端回転台、１６…デッキの他端、１７…他端把持部、１８…他端回転台、１９…枠体、２１…位置決め穴、２２…床、２５…位置決め部材、２６…ピン、３６Ｃ…角柱、４７Ｃ…脚部、５１…ストッパ手段、５２…割出し円盤部、６３，６４…傾斜取付け面。
【図１】
0003768865.tif 000002
【図２】
0003768865.tif 000003
【図３】
0003768865.tif 000004
【図４】
0003768865.tif 000005
【図５】
0003768865.tif 000006
【図６】
0003768865.tif 000007